(57)【要約】 【課題】音声を再生できるものであって、新たな写真を立てる場合に、その写真に応じた音声を、写真の撮影時から余り時間が経過していない時のものとすることができる写真立て装置を提供する。【解決手段】この写真立て装置１は、写真４を収容する写真収容部２０と音声を記憶する音声記憶部２１とを有する写真立て本体２と、写真立て本体２を着脱自在に装着するとともに、着装状態のとき音声記憶部２１に記憶された音声を出力するスピーカー３２及び音声記憶部２１に音声を記憶させるための音声を入力するマイク３３を有する写真立て台３と、を備えてなる。【選択図】図１
0003145281.tif 000002
【実用新案登録請求の範囲】
【請求項１】
写真を収容する写真収容部と音声を記憶する音声記憶部とを有する写真立て本体と、
該写真立て本体を着脱自在に装着するとともに、着装状態のとき音声記憶部に記憶された音声を出力するスピーカー及び音声記憶部に音声を記憶させるための音声を入力するマイクを有する写真立て台と、を備えてなることを特徴とする写真立て装置。
【請求項２】
請求項１に記載された写真立て装置において、
前記写真収容部は硬質樹脂であって正面側部分及び背面側部分とそれらをつなぐ底部分を有し、正面側部分が透明であり、
前記音声記憶部は、写真収容部の正面側部分と背面側部分の間に挟まれ、写真立て台に差し込んで着装状態とするコネクタ部分が写真収容部の底部分の切抜き窓部から露出していることを特徴とする写真立て装置。
【考案の詳細な説明】
【技術分野】
【０００１】
本考案は、写真を立てて飾るとともに音声を再生できる写真立て装置に関する。
【背景技術】
【０００２】
写真立ては写真を立てて飾るものであるが、従来より、それに音声再生部や音声録音部を具備することにより、音声を再生できる機能を加えたものが提案されている（例えば、特許文献１乃至４）。それらにおいては、写真に応じた音声により、写真を見る楽しみが増大する。
【０００３】
【特許文献１】実開平５−４１４７１号公報
【特許文献２】特開平８−２０５９７３号公報
【特許文献３】特開平１１−３１８６５９号公報
【特許文献４】実用新案登録第３０６０３６０号公報
【考案の開示】
【考案が解決しようとする課題】
【０００４】
しかしながら、特許文献１乃至４に記載のものは、新たな写真を写真立てに立てる時に音声を録音するものであり、保管していた過去の写真を用いる場合には、その写真の撮影時から時間が経過しているために音声の効果が実際は乏しい場合も多い。
【０００５】
本考案は、上記事由に鑑みてなしたもので、その目的とするところは、音声を再生できるものであって、新たな写真を立てる場合に、保管していた過去の写真であっても、音声をその写真に応じた最適なものにできる写真立て装置を提供することにある。
【課題を解決するための手段】
【０００６】
上記の課題を解決するために、請求項１に係る写真立て装置は、写真を収容する写真収容部と音声を記憶する音声記憶部とを有する写真立て本体と、該写真立て本体を着脱自在に装着するとともに、着装状態のとき音声記憶部に記憶された音声を出力するスピーカー及び音声記憶部に音声を記憶させるための音声を入力するマイクを有する写真立て台と、を備えてなることを特徴とする。
【０００７】
請求項２に係る写真立て装置は、請求項１に記載された写真立て装置において、前記写真収容部は硬質樹脂であって正面側部分及び背面側部分とそれらをつなぐ底部分を有し、正面側部分が透明であり、前記音声記憶部は、写真収容部の正面側部分と背面側部分の間に挟まれ、写真立て台に差し込んで着装状態とするコネクタ部分が写真収容部の底部分の切抜き窓部から露出していることを特徴とする。
【考案の効果】
【０００８】
本発明の写真立て装置によれば、写真立て本体を複数個用意し、その中の一つに現在又は将来飾ろうとする写真を収容するとともに、写真の撮影時から余り時間が経過していない時に音声を記憶させておくことにより、それを新たな写真として立てる場合に、その写真に応じた最適な音声を聞くことができる。
【考案を実施するための最良の形態】
【０００９】
以下、本考案の最良の実施形態を図面を参照しながら説明する。図１は本考案の実施形態に係る写真立て装置１の斜視図である。この写真立て装置１は、写真立て本体２と、写真立て本体２を着脱自在に装着する写真立て台３と、を備えてなる。写真立て本体２は、写真４を収容する写真収容部２０と音声を記憶する音声記憶部２１とを有する。
【００１０】
図２は写真立て本体２を示すものであって、（ａ）は写真立て本体２の背面図、（ｂ）はその右側面図、（ｃ）は写真立て本体２の音声記憶部２１の背面図、（ｄ）はその右側面図、（ｅ）は写真立て本体２の電子回路基板２２の背面図、（ｆ）はその右側面図、である。
【００１１】
写真収容部２０はこの実施形態では、アクリル樹脂等の硬質樹脂であり、略長方形（例えば、約１１．０ｃｍ×約１４．０ｃｍ）の正面側部分２０Ａ及び背面側部分２０Ｂとそれらをつなぐ短い幅（例えば、約４．５ｍｍ）の底部分２０Ｃを有している。正面側部分２０Ａは透明であり、背面側部分２０Ｂは白等で着色され、底部分２０Ｃの中央部には、切抜き窓部２０Ｃａが設けられている。音声記憶部２１は、正面側部分２０Ａと背面側部分２０Ｂの間に挟まれ、後述のコネクタ部分２２ｂが切抜き窓部２０Ｃａから露出するようにしている。写真４は、写真収容部２０の正面側部分２０Ａの側が表になるように音声記憶部２１との間に挿入される。
【００１２】
音声記憶部２１は、電子回路基板２２とその素子搭載面を保護する基板カバー２３とが貼着されて成る。電子回路基板２２は、略長方形（例えば、約２．５ｃｍ×約４．０ｃｍ）の本体部分２２ａと、その一辺から突出したコネクタ部分２２ｂとから成る。本体部分２２ａの素子搭載面の一部には、音声を記憶する半導体などの電子部品２２ｃが搭載されている。本実施形態では、電子部品２２ｃは本体部分２２ａの略中央部に搭載されている。コネクタ部分２２ｂは、その端部に、写真立て台３の電子回路と電気的接続するための端子（図示せず）を有する。基板カバー２３は、電子回路基板２２の本体部分２２ａの素子搭載面を被覆し、略中央部に、電子部品２２ｃを保護するように突出部２３ｃが形成されている。従って、基板カバー２３が電子回路基板２２に貼着されたものである音声記憶部２１では、電子回路基板２２のコネクタ部分２２ｂは露出している。
【００１３】
図３は、写真立て台３の例を示すものであって、（ａ）が平面図、（ｂ）が右側面図である。
【００１４】
写真立て台３は、写真立て本体２が着装状態のときスピーカー３２から音声記憶部２１に記憶された音声を出力し、更に、マイク３３から音声記憶部２１に記憶させるための音声を入力する。また、電源オンオフ、再生、録音の各操作のためのスイッチ部３０ａａ、３０ａｂと、電源を供給する電池３４、３４と、を具備している。より具体的には、写真立て台３は、略直方体（例えば、縦横約５．６ｃｍ×９．２ｃｍ、高さ２．１ｃｍ）の筐体３０に、以下の部材が収容されてなる。すなわち、筐体３０には、音声信号の変換などを行う電子回路等が含まれる音声制御部（図示せず）、スピーカー３２、マイク３３、電池３４、３４が内蔵され、電源オンオフ、再生、録音などの各操作のための第１及び第２のスイッチ部３０ａａ、３０ａｂと、電源オンオフ、再生、録音などの各状態を示す表示部３０ｂと、音声記憶部２１のコネクタ部分２２ｂが差し込まれる差込口３０ｃが設けられている。第１のスイッチ部３０ａａは、電源オフ、再生モードオン、録音モードオンの切り換えを、スライドスイッチのように順に機械的な移動にて行うものであり、第２のスイッチ部３０ａｂは、再生モード状態ならば再生のスタート、録音モード状態ならば録音のスタートを行うもの（例えば、ボタンスイッチ）である。なお、第２のスイッチ部３０ａｂを２個設けて、再生の操作と録音の操作を別々の第２のスイッチ部３０ａｂ、３０ａｂで行うようにすることもできる。
【００１５】
次に、写真立て装置１の使用方法を説明する。写真４の撮影時から余り時間が経過していない時、すなわち、撮影時から頭の中の記憶が薄れていない程度の時に、写真立て装置１に現在又は将来飾ろうとする写真４を写真立て本体２に収容する。そして、音声を音声記憶部２１に記憶させるには、写真立て台３の差込口３０ｃに写真立て本体２の音声記憶部２１のコネクタ部分２２ｂを差し込んで、写真立て本体２を写真立て台３に対して着装状態とする。写真立て台３の第１のスイッチ部３０ａａにより録音モード状態に切り換えてからから、第２のスイッチ部３０ａｂを操作し、マイク３３を通して音声を音声記憶部２１に記憶させる。そして、第１のスイッチ部３０ａａにより電源オフ状態にする。その後は、音声を記憶した写真立て本体２を着装状態したまま写真立て装置１を使用してもよいし、写真立て本体２を写真立て台３から取り外して保管して別の写真立て本体２’を着装して写真立て装置１を使用してもよい。
【００１６】
写真立て装置１の音声を聞くときは、写真立て台３の第１のスイッチ部３０ａａにより再生モード状態に切り換えてから、第２のスイッチ部３０ａｂを操作し、音声記憶部２１に記憶された音声を聞くことができる。
【００１７】
このようにして、写真立て本体２、２’、・・・を複数個用意し、その中の一つの写真立て本体２に現在又は将来飾ろうとする写真４を収容するとともに、写真４の撮影時から余り時間が経過していない時、すなわち、撮影時から頭の中の記憶が薄れていない程度の時に音声を記憶させておくことにより、長く保管しても、それを新たな写真４として立てる場合に、その写真４に応じた最適な音声を聞くことができる。
【００１８】
以上、本発明の実施形態に係る写真立て装置について説明したが、本発明は、実施形態に記載したものに限られることなく、特許請求の範囲に記載した事項の範囲内でのさまざまな設計変更が可能である。例えば、写真収容部２０は、写真４の大きさに合うものを複数種用意しておくことができるし、写真４の縦置き／横置き両方に対応できるようにすることも可能である。また、写真収容部２０は、写真４を収容し音声記憶部２１と一体になるものならばその他の形状や構造が可能である。
【図面の簡単な説明】
【００１９】
【図１】本発明の実施形態に係る写真立て装置の斜視図である。
【図２】同上の写真立て本体を示すものであって、（ａ）は写真立て本体の背面図、（ｂ）はその右側面図、（ｃ）は写真立て本体の音声記憶部の背面図、（ｄ）はその右側面図、（ｅ）は写真立て本体の電子回路基板の背面図、（ｆ）はその右側面図、である。
【図３】同上の写真立て台を示すものであって、（ａ）が平面図、（ｂ）が右側面図である。
【符号の説明】
【００２０】
１        写真立て装置
２        写真立て本体
２０      写真収容部
２１      音声記憶部
３        写真立て台
３０ａａ  第１のスイッチ部
３０ａｂ  第２のスイッチ部
３２      スピーカー
３３      マイク
３４      電池
４        写真
【図１】
0003145281.tif 000003
【図２】
0003145281.tif 000004
【図３】
0003145281.tif 000005